(57)【要約】【課題】  浮上がり防止部材を、比較的に強度を有しながら、安価で製作可能なものとし、マンホールに安定して確実に固定し、マンホール内からの組み付けが容易な浮上がり防止付マンホールを提供する。【解決手段】  マンホール外周面から放射方向に突出する複数本の浮上がり防止部材２を備えた浮上がり防止付マンホールにおいて、浮上がり防止部材を、マンホール内壁３に固定される固定フランジ４と、該固定フランジに接続された補強材入りコンクリート塊５とで構成し、マンホール壁に形成した浮上がり防止部材の挿通孔１２に水膨張パッキン１３が接着剤１５で固定された浮上がり防止付マンホール。【選択図】        図３
2010150798.tif 000002
【特許請求の範囲】
【請求項１】
マンホール外周面から放射方向に突出する複数本の浮上がり防止部材を備えた浮上がり防止付マンホールにおいて、浮上がり防止部材を、マンホール内壁に固定される固定フランジと、該固定フランジに接続された補強材入りコンクリート塊とで構成し、マンホール壁に形成した浮上がり防止部材の挿通孔に水膨張パッキンを接着剤で固定したことを特徴とする浮上がり防止付マンホール。
【請求項２】
前記固定フランジの一面の上下に前記補強材入りコンクリート塊を支持する突起を設けたことを特徴とする請求項１に記載の浮上がり防止付マンホール。
【発明の詳細な説明】
【技術分野】
【０００１】
本発明は、マンホール外周面から放射方向に突出する複数本の浮上がり防止部材を備えた浮上がり防止付マンホールに関するものである。
【背景技術】
【０００２】
従来，浮上がり防止付マンホールとして、マンホール壁の複数箇所の外周面に固定金具を設置し、該固定金具にマンホールの外壁から放射方向に突出させる複数本の鋼製の浮上がり防止部材を取り付けたものがある（例えば特許文献１参照。）。
【０００３】
【特許文献１】特開２００７−１３２０７２号公報
【発明の開示】
【発明が解決しようとする課題】
【０００４】
ところで、前記従来技術の浮上がり防止付マンホールでは、浮上がり防止部材が形鋼材を使用していることから高価なものであると共に浮上がり防止部材がマンホール壁の外周面の固定金具に取り付けられていることから浮上がり防止部材の固定が不安定になる虞がある。
【０００５】
本発明は、従来の技術の有するこのような問題点に鑑みてなされたものであり、その目的とするところは、浮上がり防止部材を、比較的に強度を有しながら、安価で製作可能なものとし、マンホールに安定して確実に固定し、マンホール内からの組み付けが容易な浮上がり防止付マンホールを提供しようとするものである。
【課題を解決するための手段】
【０００６】
上記目的を達成するために、本発明における浮上がり防止付マンホールは、浮上がり防止部材を、マンホール内壁に固定される固定フランジと、該固定フランジに接続された補強材入りコンクリート塊とで構成し、マンホール壁に形成した浮上がり防止部材の挿通孔に水膨張パッキンを接着剤で固定したものである。
【０００７】
また、前記固定フランジの一面の上下に前記補強材入りコンクリート塊を支持する突起を設けたものである。
【発明の効果】
【０００８】
本発明の請求項１においては、浮上がり防止部材を比較的に強度を有しながら、安価で製作可能なものとし、マンホールに安定して確実に固定し、マンホール内からの組み付けが容易であると共に防水効果も有する浮上がり防止付マンホールとなる。
【０００９】
また、本発明の請求項２においては、前記請求項１の効果に加えて浮上がり防止部材がよりマンホールに安定して確実に固定される浮上がり防止付マンホールとなる。
【発明を実施するための最良の形態】
【００１０】
マンホール外周面から放射方向に突出する複数本の浮上がり防止部材を備えた浮上がり防止付マンホールにおいて、浮上がり防止部材を、マンホール内壁に固定される固定フランジと、該固定フランジに接続された補強材入りコンクリート塊とで構成し、マンホール壁に形成した浮上がり防止部材の挿通孔に水膨張パッキンを接着剤で固定した浮上がり防止付マンホールである。
【実施例１】
【００１１】
図１ないし図３は本発明の実施例に関するものであり、図１は浮上がり防止付マンホールの正面断面説明図、図２は浮上がり防止部材をマンホールに組み付けた平面説明図、図３はは浮上がり防止部材をマンホールに組み付ける拡大説明図である。
【００１２】
図において、１はマンホールであり、該マンホール１の外周面から放射方向に複数本の浮上がり防止部材２，２，…が突出されている。
なお、浮上がり防止部材２の突出寸法は、マンホール１から約４００ｍｍから６００ｍｍであり、コスト，強度等からみて好適な寸法であり、長い方が浮上防止効果は向上する。
【００１３】
前記浮上がり防止部材２は図３に示すような、マンホール内壁３に固定される固定フランジ４と、該固定フランジ４に接続された補強材入りコンクリート塊５とにより構成されている。
【００１４】
前記固定フランジ４はマンホール内壁３に当接される正面視円形状であり、その外周部近傍には前記マンホール内壁３に固定フランジ４を固定するためのアンカーボルト６を挿入する複数の孔７，７，…が穿設され、その中心部には生コンクリートを注入するための生コンクリート注入口８が設けられ、例えばポリプロピレン，ポリエチレン，ナイロン等の合成樹脂により一体成形されている。
【００１５】
前記補強材入りコンクリート塊５は後述する手法により、補強材９を生コンクリート１０内に内蔵させ、浮上がり防止部材２を強固なものにする。
なお、補強材９としては例えば鉄材，鋼材，強化プラスチック等のいずれかを選択使用することができ、この補強材９はコンクリート塊成形型（図示せず。）内に配置させて、該コンクリート塊成形型と固定フランジ４を接続させて、生コンクリート１０を固定フランジ４の生コンクリート注入口８からコンクリート塊成形型内に注入することにより補強材入りコンクリート塊５を構成するものである。
【００１６】
以上のような構成からなる浮上がり防止付マンホールは、新設のマンホール，既存のマンホールを問わずに浮上がり防止部材２の設置が可能であるが、特に既存のマンホールにおいてマンホール内で簡単，容易に組み付けできるものである。
【００１７】
先ず、図３に示すように、本実施例では予め多数の鉄筋の補強材９を複数の固定スペーサー１１を使用してコンクリート塊成形型内に配置し、固定フランジ４の生コンクリート注入口８をコンクリート塊成形型内に挿入させ、生コンクリート注入口８から生コンクリート１０を注入する。
そして、生コンクリート１０が固化した時に前記コンクリート塊成形型を取り外すことにより、固定フランジ４に接続された補強材入りコンクリート塊５となり、前記浮上がり防止部材２が容易に成形することができる。
このように、浮上がり防止部材２は補強材入りコンクリート塊５であることから比較的に強度を有しながら、安価で製作可能なものとなる。
なお、本実施例では浮上がり防止部材２は断面円形状の円柱体に成形したが、コンクリート塊成形型により断面が四角状，三角状等、多数の形状の浮上がり防止部材の成形が可能である。
【００１８】
次に、マンホール１の外周面から放射方向に浮上がり防止部材２を突出させたい箇所でマンホール内壁３に浮上がり防止部材２の直径の大きさに対応した挿通孔１２を穿設し、該挿通孔１２に水膨張パッキン１３を配設する。
さらにマンホール１の外周の土に浮上がり防止部材２の直径の大きさに対応し、且つ略浮上がり防止部材２の長さに対応した孔１４を穿設する。
【００１９】
そして、予め固定フランジ４に接続された補強材入りコンクリート塊５をマンホール１内に搬入し、前記挿通孔１２の内周に接着剤１５を塗布し、補強材入りコンクリート塊５を孔１４，１２に配置し、固定フランジ４をマンホール内壁３に当接させる。
さらに固定フランジ４の複数の孔７，７，…にアンカーボルト６，６，…を挿入させて固定フランジ４はマンホール内壁３に安定して確実な固定をすることができる。
またさらに、挿通孔１２の内周に接着剤１５を塗布したことにより、水膨張パッキン１３が補強材入りコンクリート塊５の外周とマンホール壁間に確実に固定されて防水効果が発揮される。
【００２０】
このように、浮上がり防止部材２はマンホール１の外周に上下複数段にわたってそれぞれ複数方向（例えば四方向。）に配置されているが、浮上がり防止部材２の組み付け作業はマンホール１内から容易にすることができる。
【実施例２】
【００２１】
この実施例は上記実施例における補強材入りコンクリート塊５を補強材入りコンクリート板塊１６を特に採用したものである。
図４および図５は本発明の他の実施例に関するものであり、図４は浮上がり防止部材をマンホールに組み付けた平面説明図、図５は浮上がり防止部材をマンホールに組み付ける拡大説明図である。
【００２２】
図５に示すように、１７は固定フランジであり、該固定フランジ１７はマンホール内壁３に当接される正面視円形状の固定部１８と、補強材入りコンクリート板塊１６の上下面を支持する突起１９，１９とで構成され、例えばポリプロピレン，ポリエチレン，ナイロン等の合成樹脂により一体成形されている。
【００２３】
前記固定フランジ１７の固定部１８の外周部近傍には前記マンホール内壁３に固定フランジ１７を固定するためのアンカーボルト２０を挿入する複数の孔２１，２１，…が穿設され、その中心部近傍には前記補強材入りコンクリート板塊１６を複数のボルト２２，２２，…で固定フランジ１７に接続するためのボルト挿通孔２３，２３，…が穿設されている。
また、固定フランジ１７の突起１９は、断面略半円弧状で略マンホール壁の長さであり、前記補強材入りコンクリート板塊１６の上下面が支持するように中心部から上下対称に突出されている。
さらに、固定フランジ１７の固定部１８と突起１９との境界部近傍には水膨張パッキン２４が配設されている。
【００２４】
前記補強材入りコンクリート板塊１６は、上述の実施例１と同様に補強材９として例えば鉄材，鋼材，強化プラスチック等のいずれかを選択使用することができ、この補強材９をコンクリート板塊成形型（図示せず。）内に配置させ、生コンクリート１０をコンクリート塊成形型内に注入することにより補強材入りコンクリート板塊１６を成形するものである。
【００２５】
図４および図５に示すように、本実施例では予め多数の鉄筋の補強材９を縦横に配列し、コンクリート板塊成形型内に配置し、該コンクリート板塊成形型内に生コンクリート１０を注入する。
そして、生コンクリート１０が固化した時に前記コンクリート板塊成形型を取り外すことにより、補強材入りコンクリート板塊１６となり、浮上がり防止部材２５が容易に成形することができる。
２６，２６，…は、前記複数のボルト２２，２２，…で補強材入りコンクリート板塊１６を固定フランジ１７に螺着するためのボルト孔である。
なお、浮上がり防止部材２５の形状は、上述の実施例１と同様に、コンクリート板塊成形型により多数の形状の成形が可能である。
【００２６】
以上のような構成からなる浮上がり防止付マンホールは、新設のマンホール，既存のマンホールを問わずに浮上がり防止部材２５の設置が可能であるが、特に既存のマンホールにおいてマンホール内で簡単，容易に組み付けできるものである。
【００２７】
先ず、マンホール１の外周面から放射方向に浮上がり防止部材２５を突出させたい箇所でマンホール内壁３に、前記固定フランジ１７の突起１９の略直径の大きさに対応した挿通孔２７を穿設し、さらにマンホール１の外周の土に浮上がり防止部材２５の断面四角状の大きさに対応し、且つ略浮上がり防止部材２５の長さに対応した孔２８を穿設する。
【００２８】
次に、予め固定フランジ１７にボルト２２，２２，…で接続された補強材入りコンクリート板塊１６をマンホール１内に搬入し、前記挿通孔２７の内周に接着剤１５を塗布し、補強材入りコンクリート板塊１６を孔２８に配置し、固定フランジ１７の突起１９，１９を挿通孔２７に装着させ、固定フランジ１７の固定部１８をマンホール内壁３に当接させ、複数の孔２１，２１，…にアンカーボルト２０，２０，…を挿入させて固定フランジ１７はマンホール内壁３により安定して確実な固定をすることができる。
さらに、挿通孔２７の内周に接着剤１５を塗布したことにより、水膨張パッキン２４が補強材入りコンクリート板塊１６の上下面を支持する突起１９，１９の外周とマンホール壁間に確実に固定されて防水効果が発揮される。
【００２９】
このように、浮上がり防止部材２５は補強材入りコンクリート板塊１６であることから比較的に強度を有しながら、安価で製作可能なものとなると共に浮上がり防止部材２５はマンホール１の外周に上下複数段にわたってそれぞれ複数方向（例えば三方向。）に配置されているが、浮上がり防止部材２５の組み付け作業はマンホール１内から容易にすることができる。
【図面の簡単な説明】
【００３０】
【図１】本発明に係る浮上がり防止付マンホールの正面断面説明図である。
【図２】浮上がり防止部材をマンホールに組み付けた平面説明図である。
【図３】浮上がり防止部材をマンホールに組み付ける拡大説明図である。
【図４】本発明の他の実施例の浮上がり防止部材をマンホールに組み付けた平面説明図である。
【図５】他の実施例の浮上がり防止部材をマンホールに組み付ける拡大説明図である。
【符号の説明】
【００３１】
１                  マンホール
２，２５            浮上がり防止部材
３                  マンホール内壁
４，１７            固定フランジ
５，１６            補強材入りコンクリート塊
１２，２７          挿通孔
１３，２４          水膨張パッキン
１５                接着剤
１９                突起
【図１】
2010150798.tif 000003
【図２】
2010150798.tif 000004
【図３】
2010150798.tif 000005
【図４】
2010150798.tif 000006
【図５】
2010150798.tif 000007